(57)【要約】【課題】ブラシ保持器の絶縁樹脂製の外枠をノイズ低減素子の絶縁にも利用することによって、ノイズ低減素子の絶縁や接続に必要とされていた部品を削減するとともに、ノイズ低減素子とブラシ保持器及びモータや電源部との接続を簡略化して組立性の向上を図り、以て顧客に一層安価な電動工具を提供すること。【解決手段】カーボンブラシを保持し、該カーボンブラシの摩耗と共に摺動する金属筒１ａと、該金属筒１ａを絶縁する絶縁樹脂製の外枠１ｂとで構成される電動工具用ブラシ保持器１を備える電動工具において、一端が前記金属筒１ａに接続され、他端が外部接続用端子に接続されたＣＲ複合部品３及びチョークコイル４（ノイズ低減素子）を前記外枠１ｂ内に一体成形する。【選択図】図１
2006142404.tif 000002
【特許請求の範囲】
【請求項１】
カーボンブラシを保持し、該カーボンブラシの摩耗と共に摺動する金属筒と、該金属筒を絶縁する絶縁樹脂製の外枠とで構成されるブラシ保持器を備えた電動工具において、
一端が前記金属筒に接続され、他端が外部接続用端子に接続されたノイズ低減素子を前記外枠内に一体成形したことを特徴とする電動工具。
【発明の詳細な説明】
【技術分野】
【０００１】
本発明は、ノイズ低減素子の絶縁や接続に必要とされていた部品を削減するとともに、ノイズ低減素子とブラシ保持器、モータや電源部との接続を簡便にすることによって組立性の向上を図ることができる電動工具に関するものである。
【背景技術】
【０００２】
図４は従来の電動工具用ブラシ保持器の一例を示す図、図５は同電動工具用ブラシ保持器周辺の構成を示す断面図、図６は図５に示す構成の結線図である。
【０００３】
このブラシ保持器１は、カーボンブラシ２を保持し、該カーボンブラシ２の摩耗と共に摺動する金属筒１ａと、該金属筒１ａを絶縁する絶縁樹脂製の外枠１ｂとで構成されており、金属筒１ａには接続端子部１ｃが設けられている。
【０００４】
ここで、ＥＭＣ規制の対象となる電動工具の場合、内部配線にノイズ低減素子が多用されるが、そのうち、ＣＲ複合部品３とチョークコイル４を使用する場合、これらは固定子５と結線された上で、固定子５に直接固定される。
【０００５】
この場合、ＣＲ複合部品３及びチョークコイル４の絶縁能力を確保するために絶縁チューブ６を使用し、固定子巻線５ａとリードワイヤ７との結線に接続端子８を使用する。リードワイヤ７は、ブラシ保持器１とコード９及びスイッチ１０に結線される。
【０００６】
又、ブラシ保持器１に支持されたカーボンブラシ２が回転子１１の整流子１１ａに接触することによって電気回路が構成される。
【０００７】
以上の構成によれば、主としてカーボンブラシ２と整流子１１ａとの間で発生する電気的ノイズをＣＲ複合部品３とチョークコイル４により吸収し、電動工具の外部への電気的ノイズの漏洩を低減させることができる。
【０００８】
【特許文献１】特開平８−１１８２６０号公報
【特許文献２】特開平６−２３３４９０号公報
【発明の開示】
【発明が解決しようとする課題】
【０００９】
ところが、上記従来技術によれば、ノイズ低減素子はモータの固定子に煩雑な接続作業を行うことで接続されるとともに、絶縁チューブや接続端子を必要とするために組立効率が悪く、ノイズ低減素子を必要とする場合は、顧客に比較的高価な電動工具を提供せざるを得なくなる一因となる場合があった。
【００１０】
本発明は上記事情に鑑みてなされたもので、その目的とする処は、ブラシ保持器の絶縁樹脂製の外枠をノイズ低減素子の絶縁にも利用することによって、ノイズ低減素子の絶縁や接続に必要とされていた部品を削減するとともに、ノイズ低減素子とブラシ保持器及びモータや電源部との接続を簡略化にすることによって組立性の向上を図り、以て顧客に一層安価な電動工具を提供することにある。
【課題を解決するための手段】
【００１１】
上記目的を達成するため、本発明は、カーボンブラシを保持し、該カーボンブラシの摩耗と共に摺動する金属筒と、該金属筒を絶縁する絶縁樹脂製の外枠とで構成されるブラシ保持器を備える電動工具において、一端が前記金属筒に接続され、他端が外部接続用端子に接続されたノイズ低減素子を前記外枠内に一体成形したことを特徴とする。
【発明の効果】
【００１２】
本発明によれば、一端が金属筒に接続され、他端が外部接続用端子に接続されたノイズ低減素子を外枠内に一体成形したため、ノイズ低減素子の接続や絶縁に必要な部品を削減することができるとともに、ノイズ低減素子とブラシ保持器及びモータや電源部との接続が簡略化され、組立効率の向上と原価の低減が可能となり、より安価な電動工具を提供することができる。
【発明を実施するための最良の形態】
【００１３】
以下に本発明の実施の形態を添付図面に基づいて説明する。
【００１４】
図１は本発明に係る電動工具に備えられるブラシ保持器を示す図、図２は同ブラシ保持器周辺の構成を示す断面図、図３は図２に示す構成の結線図である。
【００１５】
本発明に係るブラシ保持器１は、カーボンブラシ２を保持し、該カーボンブラシ２の摩耗と共に摺動する金属筒１ａと、該金属筒１ａを絶縁する外枠１ｂとで構成されている。そして、金属筒１ａにはＣＲ複合部品３とチョークコイル４が接続され、ＣＲ複合部品３とチョークコイル４にはそれぞれ接続端子部１ｃが接続されている。ここで、ＣＲ複合部品３とチョークコイル４及び接続端子部１ｃは、絶縁に十分な肉厚の絶縁樹脂を有する外枠１ｂにより外部から絶縁されるとともに、金属筒１ａと共に外枠１ｂの内部に一体成形されることによって固定される構造となっている。
【００１６】
而して、上記構成を有するブラシ保持器１を使用した場合、従来では固定子５に結線され固定されていたＣＲ複合部品３とチョークコイル４が当該ブラシ保持器１に一体成形されるているため、ブラシ保持器１を組み付けると同時にＣＲ複合部品３とチョークコイル４の組立が完了する。この結果、固定子５の結線が簡便化されるとともに、ＣＲ複合部品３とチョークコイル４を絶縁及び結線するために必要である絶縁チューブ６や接続端子８の使用数を削減することができる。
【００１７】
従って、本発明によれば、結線の簡略化と部品点数の削減を図ることができ、この結果、組立効率の向上と原価の低減が可能となり、より安価な電動工具を提供することができる。
【図面の簡単な説明】
【００１８】
【図１】本発明に係る電動工具に備えられるブラシ保持器の一例を示す図である。
【図２】図１に示すブラシ保持器を適用した電動工具のブラシ保持器周辺の構成の一例を示す断面図である。
【図３】図２に示す構成の結線図である。
【図４】従来の電動工具用ブラシ保持器の一例を示す図である。
【図５】図４に示すブラシ保持器を適用した電動工具のブラシ保持器周辺の構成の一例を示す断面図である。
【図６】図５に示す構成の結線図である。
【符号の説明】
【００１９】
１    ブラシ保持器
１ａ  金属筒
１ｂ  外枠
１ｃ  接続端子部
２    カーボンブラシ
３    ＣＲ複合部品（ノイズ低減素子）
４    チョークコイル（ノイズ低減素子）
５    固定子
５ａ  固定子巻線
６    絶縁チューブ
７    リードワイヤ
８    接続端子
９    コード
１０  スイッチ
１１  回転子
１１ａ  は整流子
【図１】
2006142404.tif 000003
【図２】
2006142404.tif 000004
【図３】
2006142404.tif 000005
【図４】
2006142404.tif 000006
【図５】
2006142404.tif 000007
【図６】
2006142404.tif 000008